(57)【要約】本発明は、ヘルメット６００用のヘッドセット１００に関する。ヘッドセット１００は、スピーカユニット１０２、ブームマイクロフォン１０４、およびスカルマイクロフォン１０６を含む。ヘッドセット１００は、ブームマイクロフォン１０４の位置に基づいてブームマイクロフォン１０４またはスカルマイクロフォン１０６を作動させるように構成されたスイッチ５０２をさらに含む。本発明は、ヘッドセット１００を含むヘルメットにも関する。【選択図】図６Ｂ
2021529449.tif 000002
【特許請求の範囲】
【請求項１】
スピーカユニット（１０２）、ブームマイクロフォン（１０４）およびスカルマイクロフォン（１０６）を含む、ヘルメット（６００）用のヘッドセット（１００）であって、前記ヘッドセット（１００）は、前記ブームマイクロフォン（１０４）の位置に基づいて前記ブームマイクロフォン（１０４）または前記スカルマイクロフォン（１０６）をアクティブにするように構成されたスイッチ（５０２）をさらに含むことを特徴とする、ヘッドセット（１００）。
【請求項２】
前記スイッチ（５０２）は、
−前記ブームマイクロフォン（１０４）が使用位置に配置されているとき、前記ブームマイクロフォン（１０４）をアクティブにすると同時に前記スカルマイクロフォン（１０６）を非アクティブにする、および
−前記ブームマイクロフォン（１０４）が不使用位置に配置されているとき、前記ブームマイクロフォン（１０４）を非アクティブにすると同時に前記スカルマイクロフォン（１０６）をアクティブにする、
ように構成される、請求項１に記載のヘッドセット（１００）。
【請求項３】
前記ブームマイクロフォン（１０４）が前記ブームマイクロフォン（１０４）の複数の位置の間で移動することを可能にする回転要素（２０６）を含み、前記回転要素（２０６）は、前記スピーカユニット（１０２）または前記ヘルメット（６００）に機械的に取り付け可能である、請求項１または２のいずれか１項に記載のヘッドセット（１００）。
【請求項４】
前記ヘッドセット（１００）は、前記回転要素（２０６）に配置されたアクチュエータ（５０４）をさらに含み、
前記ブームマイクロフォン（１０４）が使用位置にあるとき、前記ブームマイクロフォン（１０４）をアクティブにし、かつ前記スカルマイクロフォン（１０６）を非アクティブにするために、前記アクチュエータ（５０４）は、前記スピーカユニット（１０２）に配置された前記スイッチ（５０２）から遠く離れていて、前記スイッチ（５０２）は第１の状態にあり、これにより、前記スイッチ（５０２）は、それぞれ、前記ブームマイクロフォン（１０４）のアースまたは信号を接続し、前記スカルマイクロフォン（１０６）のアースまたは信号を切断するように構成され、
前記ブームマイクロフォン（１０４）が不使用位置にあるとき、前記ブームマイクロフォン（１０４）を非アクティブにし、かつ前記スカルマイクロフォン（１０６）をアクティブにするために、前記アクチュエータ（５０４）は、前記スイッチ（５０２）のすぐ近くにあり、前記スイッチ（５０２）は第２の状態にあり、これにより、前記スイッチ（５０２）は、それぞれ、前記ブームマイクロフォン（１０４）のアースまたは信号を切断し、前記スカルマイクロフォン（１０６）のアースまたは信号を接続するように構成される、
請求項３に記載のヘッドセット（１００）。
【請求項５】
前記スイッチ（５０２）はリードスイッチであり、前記アクチュエータ（５０４）は磁石である、請求項４に記載のヘッドセット（１００）。
【請求項６】
前記スイッチ（５０２）は、マイクロスイッチまたは光スイッチなどの、電気機械式スイッチ、光機械式スイッチ、または機械式スイッチであり、前記アクチュエータ（５０４）は、機械的アクチュエータである、請求項４に記載のヘッドセット（１００）。
【請求項７】
前記ブームマイクロフォン（１０４）は、その遠端に配置されたマイクロフォン（２０４）を有するブーム（２０２）を含む、請求項１〜４のいずれか１項に記載のヘッドセット（１００）。
【請求項８】
前記ブームマイクロフォン（１０４）は、機械的結合手段（３１０）を用いて前記スピーカユニット（１０２）または前記ヘルメット（６００）に取り外し可能に取り付けられる、請求項１〜４のいずれか１項に記載のヘッドセット（１００）。
【請求項９】
前記スカルマイクロフォン（１０６）は、前記スピーカユニット（１０２）に固定的に結合される、請求項１〜８のいずれか１項に記載のヘッドセット（１００）。
【請求項１０】
請求項１〜９のいずれか１項に記載のヘッドセット（１００）を備えるヘルメット（６００）。
【発明の詳細な説明】
【技術分野】
【０００１】
本発明は、一般に、ヘッドセットの技術分野に関する。特に、本発明は、ヘルメット用のヘッドセットに関する。
【背景技術】
【０００２】
通常、ヘッドセットは、ヘッドホンなどのスピーカユニットと、ブームマイクロフォン、頭蓋骨の骨を通して音を伝導するための骨伝導に基づくスカルマイクロフォン、喉頭などの振動による作動に基づくスロートマイクロフォン、などのマイクロフォンとで構成される。ヘッドセットは、消防士、航空会社のパイロット、軍人、警官などの潜在的に危険な状況で働く専門家が着用するタイプのヘルメットまたは保護ヘッドギアの一般的な付属品である。さらに、工場や建設現場などの騒がしい環境で働く人々は、作業中に着用する可能性のある保護ヘッドギアにヘッドセットを取り付けている場合がある。さらに、ヘッドセットは、例えば携帯電話やコンピュータに接続されたときにハンズフリー通信を可能にし、その結果、業務用や日常使用を含む幅広い使用シナリオが実現する。
【０００３】
特定の使用例、特に専門家の側では、特定のタイプのマイクロフォンの音質は他のタイプのマイクロフォンよりも劣る。例えば、消防士が例えばスモークダイビング中に呼吸マスクを着用しているときに、スカルマイクロフォンまたはスロートマイクロフォンは、ブームマイクロフォンよりも優れた音質を提供する場合があるが、ブームマイクロフォンは、他の多くの使用例でより優れた音質を提供する場合がある。
【０００４】
従来技術の１つの解決策によれば、ヘッドセットのマイクロフォンは、使用例に応じて変更され得る。従来技術の解決策の少なくとも１つの欠点は、ユーザがいくつかの異なるタイプのマイクロフォンを携帯しなければならないことである。さらに、最初に現在のマイクロフォンをヘッドセットから取り外し、その後、他のマイクロフォンをヘッドセットに取り付ける必要があるので、異なるタイプのマイクロフォン間の変更には時間がかかる。
【発明の概要】
【課題を解決するための手段】
【０００５】
以下は、発明のさまざまな実施形態のいくつかの態様の基本的な理解を提供するために簡略化された概要を提示する。概要は、本発明の広範な概要ではない。  本発明の鍵となる要素または重要な要素を特定することも、本発明の範囲を描写することも意図されていない。以下の概要は、本発明の例示的な実施形態のより詳細な説明の前置きとして、本発明のいくつかの概念を簡略化された形で提示するに過ぎない。
【０００６】
本発明の目的は、ヘルメット用のヘッドセットおよびヘッドセットを含むヘルメットを提示することである。本発明の別の目的は、ヘルメット用のヘッドセットおよびヘッドセットを含むヘルメットが、使用例に応じてブームマイクロフォンとスカルマイクロフォンとの間の簡単かつ容易な切り替えを可能にすることである。
【０００７】
本発明の目的は、独立請求項によって定義されるヘッドセットおよびヘルメットによって達成される。
【０００８】
第１の態様によれば、ヘルメット用のヘッドセットが提供され、ヘッドセットは、スピーカユニット、ブームマイクロフォン、およびスカルマイクロフォンを含み、ヘッドセットは、ブームマイクロフォンの位置に基づいて、ブームマイクロフォンまたはスカルマイクロフォンをアクティブにするように構成されたスイッチをさらに含む。
【０００９】
さらに、スイッチは、ブームマイクロフォンが使用位置に配置されているとき、ブームマイクロフォンをアクティブにすると同時にスカルマイクロフォンを非アクティブにし、ブームマイクロフォンが不使用位置に配置されているとき、ブームマイクロフォンを非アクティブにすると同時にスカルマイクロフォンをアクティブにする、ように構成され得る。
【００１０】
ブームマイクロフォンは、ブームマイクロフォンがブームマイクロフォンの複数の位置の間を移動することを可能にする回転要素を含み得、回転要素は、スピーカユニットまたはヘルメットに機械的に取り付け可能である。
【００１１】
ヘッドセットは、回転要素に配置されたアクチュエータをさらに含んでもよく、ブームマイクロフォンが使用位置にあるとき、ブームマイクロフォンをアクティブにし、かつスカルマイクロフォンを非アクティブにするために、アクチュエータは、スピーカユニットに配置されたスイッチから遠く離れていて、スイッチはその第１の状態にあり、これにより、スイッチは、それぞれ、ブームマイクロフォンのアースまたは信号を接続し、スカルマイクロフォンのアースまたは信号を切断するように構成され、また、ブームマイクロフォンが不使用位置にあるとき、ブームマイクロフォンを非アクティブにし、かつスカルマイクロフォンをアクティブにするために、アクチュエータは、スイッチのすぐ近くにあり、スイッチは第２の状態にあり、これにより、スイッチは、それぞれ、ブームマイクロフォンのアースまたは信号を切断し、スカルマイクロフォンのアースまたは信号を接続するように構成される。
【００１２】
スイッチはリードスイッチであり得、アクチュエータは磁石であり得る。
【００１３】
代替的または追加的に、スイッチは、マイクロスイッチまたは光スイッチなどの、電気機械式スイッチ、光機械式スイッチ、または機械式スイッチであり得、アクチュエータは、機械的アクチュエータであり得る。
【００１４】
ブームマイクロフォンは、遠端に配置されたマイクロフォンを有するブームを含み得る。
【００１５】
さらに、ブームマイクロフォンは、機械的結合手段を用いてスピーカユニットまたはヘルメットに取り外し可能に取り付け得る。
【００１６】
スカルマイクロフォンは、スピーカユニットに固定的に結合接続され得る。
【００１７】
第２の態様によれば、ヘルメットが提供され、ヘルメットは、上記のヘッドセットを含む。
【００１８】
構造および操作方法の両方に関する本発明のさまざまな例示的かつ非限定的な実施形態は、その追加の目的および利点とともに、添付図面を用いた以下の特定の例示的かつ非限定的な実施形態の説明から最もよく理解されるであろう。
【００１９】
この明細書において、「備える」および「含む」という動詞は、引用されていない機能の存在を除外または要求しないオープンな制限として使用されている。従属請求項に記載されている特徴は、特に明記しない限り、相互に自由に組み合わせることができる。さらに、本書全体での「１」または「１つ」、すなわち単数形の使用は、複数形を排除するものではないことを理解されたい。
【００２０】
本発明の実施形態は、添付図面の図において、限定としてではなく、例として示されている。
【図面の簡単な説明】
【００２１】
【図１】図１は、簡単な例によるヘッドセットを概略的に示す。
【図２】図２は、例によるブームマイクロフォンの分解図を概略的に示す。
【図３Ａ】図３Ａは、ブームマイクロフォンの回転要素の例を概略的に示す。
【図３Ｂ】図３Ｂは、ブームマイクロフォンの回転要素の例を概略的に示す。
【図４Ａ】図４Ａは、ブームマイクロフォンの使用位置の例を概略的に示す。
【図４Ｂ】図４Ｂは、ブームマイクロフォンの不使用位置の例を概略的に示す。
【図５Ａ】図５Ａは、ヘッドセットのスイッチの動作を概略的に示す。
【図５Ｂ】図５Ｂは、ヘッドセットのスイッチの動作を概略的に示す。
【図５Ｃ】図５Ｃは、ヘッドセットのスイッチの動作を概略的に示す。
【図５Ｄ】図５Ｄは、ヘッドセットのスイッチの動作を概略的に示す。
【図６Ａ】図６Ａは、ヘルメットに配置されたヘッドセットの例を示す。
【図６Ｂ】図６Ｂは、ヘルメットに配置されたヘッドセットの例を示す。
【発明を実施するための形態】
【００２２】
図１は、簡単な例によるヘッドセット１００のいくつかの構成要素を概略的に示す。ヘッドセット１００は、スピーカユニット１０２、ブームマイクロフォン１０４、およびスカルマイクロフォン１０６を備え得る。いくつかの非限定的な例として、スピーカユニット１０２は、ヘッドホン、イヤホン、イヤピース、聴覚保護具などであり得る。スカルマイクロフォン１０６は、スカルマイクロフォン１０６をスピーカユニット１０２に電気的に結合するために、ケーブル内に配置された複数の電線を含むケーブルを用いてスピーカユニット１０２に固定的に結合され得る。スカルマイクロフォンは、例えばベルクロなどの面ファスナーまたは他の同様の種類の取り付け手段を使用して、ヘルメットに機械的に取り付けることができる。
【００２３】
図２は、一例によるブームマイクロフォン１０４の分解図を概略的に示す。ブームマイクロフォン１０４は、遠端に配置されたマイクロフォン２０４を有するブーム２０２を備える。いくつかの非限定的な例として、ブーム２０２の遠端に配置されたマイクロフォン２０４は、シングルエンドまたは差動構成を使用するダイナミックマイクロフォンまたはエレクトレットマイクロフォンであり得る。ブームマイクロフォン１０４は、ブーム２０２の他端を取り付けることができる回転要素２０６をさらに備える。マイクロフォン２０４がその中に配置されているブーム２０２の端部は、遠端と呼ばれてよく、一方、回転要素２０６に取り付け可能なブーム２０２の他端は、近端と呼ばれ得る。ブーム２０６は、ブーム２０２の遠端に配置されたマイクロフォン２０４を回転要素２０６に機械的および電気的に結合するために、ブーム２０２の近端に取り付け構成２０８を備え得る。マイクロフォン２０４を有するブーム２０２は、回転要素２０６に取り外し可能に取り付けられ得る。あるいは、マイクロフォン２０４を有するブーム２０２は、回転要素２０６に固定的に取り付けられ得る。
【００２４】
図３Ａおよび図３Ｂは、ブームマイクロフォン１０４の回転要素２０６の例を概略的に示す。明確にするために、ブーム２０４の遠端に配置されたマイクロフォン２０４は、図３Ａおよび図３Ｂには示されていない。図３Ａおよび図３Ｂにおいて、回転要素２０６の向きは、ヘッドセット１００が使用されているとき、すなわちユーザが着用しているとき、ユーザの顔は実質的に正のＸ方向を向いており、かつ頭頂部は実質的に正のＹ方向を向いているようなものである。ヘッドセット１００がヘルメットに配置されている場合、ヘルメットの上部は実質的に正のＹ方向を向いており、かつヘルメットのユーザの顔のためのヘルメットの開口部は実質的に正のＸ方向を向いている（図６Ａおよび図６Ｂ参照）。回転要素２０６は、機械的結合手段３１０を用いて、ヘッドセット１００が取り付けられ得るスピーカユニット１０２またはヘルメットに、機械的に結合され得る、すなわち取り付けられ得る。図３Ａおよび図３Ｂには、回転要素２０６をスピーカユニット１０２に、例えば、ヘッドホンのイヤーカップまたは聴覚保護具のイヤーカップに吊るすことができる機械的結合手段３１０の非限定的な例が示されている。別の非限定的な例によれば、回転要素は、ストラップタイプの機械的結合手段３１０を用いて任意のタイプのヘルメットに結合され得る。あるいは、他の任意の機械的結合手段３１０を使用して、回転要素２０６をスピーカユニット１０２またはヘルメットに機械的に結合し得る。
【００２５】
回転要素２０６は、ブームマイクロフォン１０４がブームマイクロフォン１０４の複数の位置の間で移動可能であることを可能にする。回転要素２０６によって提供されるブームマイクロフォン１０４の動きは、回転要素２０６の回転軸の周りの回転運動である。回転軸はＸＹ平面に垂直である。回転要素２０６によって提供されるブームマイクロフォン１０４の回転運動は、連続的または段階的であり得る。回転要素２０６は、ブームマイクロフォン１０４が両方向、すなわち時計回り方向および反時計回り方向に移動可能であることを可能にする。回転要素２０６は、ブームマイクロフォン１０４が回転要素２０６の回転軸の周りに連続的または段階的に回転可能であり得ることを可能にし得る。あるいは、ブームマイクロフォン１０４が完全に３６０度回転することができないように、回転要素２０６は、ブームマイクロフォンが２つの限界位置の間で連続的または段階的に回転可能であり得ることを可能にし得る。回転要素２０６は、ブームマイクロフォン１０４の複数の位置の間で回転要素２０６の第１の部分２０６ａに取り付けられたブームマイクロフォン１０４を移動させるために、互いに対して回転され得る２つの部分２０６ａ、２０６ｂを備え得る。図３Ａおよび図３Ｂは、回転要素２０６を回転させることによって提供されるブームマイクロフォン１０４の２つの異なる位置を示す。回転要素２０６の第２の部分２０６ｂは、機械的結合手段３１０を用いてスピーカユニット１０２に機械的に結合され得、第２の部分２０６ｂは静止し、第１の部分２０６ａは第２の部分２０６ｂに対して回転可能である。第１の部分２０６ａは、ブームマイクロフォン１０４のブーム２０２が取り付けられ得る突出部分を含み得る。
【００２６】
ブーム２０２が回転要素２０６に取り外し可能に取り付け可能である場合、ブーム２０２の近端の取り付け構成２０８は、オーディオプラグ２１０を含み得、回転要素２０６は、ブーム２０２の遠端に配置されたマイクロフォン２０４を回転要素２０６に電気的に結合するための対応するオーディオソケット（図示せず）を備え得る。オーディオプラグ２１０は、ブーム２０２の近端に固定され、ブーム２０２の遠端でマイクロフォン２０４にさらに電気的に結合され、それによって、マイクロフォン２０４を回転要素２０６に電気的に結合する。電気的結合は、ブーム２０２の内部に配置された複数の電線によって提供され得、これらの電線は、一端でオーディオプラグ２１０に、そして他端でマイクロフォン２０４に電気的に接続される。適用されるまたは必要な電線の数は、通常、使用されるマイクロフォンのタイプの要件に依存するため、それに応じて選択される。オーディオソケットは、回転要素２０６の第１の部分２０６ａの突出部分に提供され得る。回転要素２０６のオーディオソケットは、例えば、ケーブル内側に配置された複数の電線を含むケーブルを用いて、ヘッドセット１００の内部および／または外部のオーディオ処理装置のさらなる構成要素、例えばスピーカユニット１０２、に電気的に結合される。オーディオプラグ２１０は、例えば、４導体または５導体の３．５ｍｍオーディオプラグとして当技術分野で知られている適切なオーディオコネクタとして提供され得る。一方、回転要素２０６のオーディオソケットは、対応するオーディオソケット（オーディオジャック）として提供される。
【００２７】
ブーム２０２が回転要素２０６に固定的に取り付けられている場合、ブーム２０２の遠端にあるマイクロフォン２０４は、ブーム２０２の内部に配置された複数の電線によって回転要素２０６に電気的に結合される。回転要素２０６は、例えば、ケーブル内側に配置された複数の電線を含むケーブルを用いて、ヘッドセット１００の内部および／または外部のオーディオ処理装置のさらなる構成要素、例えばスピーカユニット１０２、に電気的に結合される。
【００２８】
ヘッドセット１００は、ブームマイクロフォン１０４の位置に基づいてブームマイクロフォン１０４またはスカルマイクロフォン１０６を作動させるためのスイッチ５０２をさらに備える。ブームマイクロフォン１０４が少なくとも１つの使用位置に配置されている場合、スイッチ５０２は、ブームマイクロフォン１０４をアクティブ化し、同時にスカルマイクロフォン１０６を非アクティブ化し得る。スイッチ５０２は、ブームマイクロフォン１０４が少なくとも１つの不使用位置に配置されている場合、ブームマイクロフォン１０４を非アクティブ化し、同時にスカルマイクロフォン１０６をアクティブ化し得る。ブームマイクロフォン１０４の使用位置は、例えば、ブーム２０２の遠端に配置されたマイクロフォン２０４が実質的にユーザの口の前にある、すなわち、ユーザの口に面するようなものであり得る。ヘッドセット１００がヘルメットに取り付けられている場合、ブームマイクロフォン１０４の使用位置は、典型的には、ブーム２０２の遠端に配置されたマイクロフォン２０４が実質的にヘルメットの前部にあるような位置である。ブームマイクロフォン１０４の不使用位置は、例えば、傾斜位置であり得る。ここで、ブームマイクロフォン１０４の使用位置の周囲空間が自由であることを必要とし、または他のエンティティ、例えば呼吸マスクのために占有される場合、ブーム２０２の遠端に配置されたブーム２０２および／またはマイクロフォン２０４は、ユーザを妨害しない。不使用位置の１つの非限定的な例は、ブームマイクロフォン１０４、すなわちブーム２０２の遠端に配置されたブーム２０２および／またはマイクロフォン２０４が、実質的にユーザの首の後ろに、またはヘッドセット１００がヘルメットに配置されている場合にはヘルメットの後方部分に向かって配置される位置である。代替的または追加的に、ブームマイクロフォン１０４の不使用位置は、ブームマイクロフォン１０４、すなわちブーム２０２の遠端に配置されたブーム２０２および／またはマイクロフォン２０４が、実質的にユーザの頭頂部に向かって、またはヘッドセット１００がヘルメットに配置されている場合にはヘルメットの上部、すなわち実質的に図の正のＹ方向に向かって配置される位置であり得る。
【００２９】
好ましくは、回転要素２０６がブームマイクロフォンを２つの限界位置の間で連続的または段階的に回転可能にし得る場合、使用位置は、第１の限界位置に配置され得、不使用位置は、第２の限界位置に配置され得る。代替的または追加的に、使用位置および／または不使用位置は、２つの限界位置の間の他の任意の位置になるように配置され得る。例えば、回転要素２０６によって提供されるブームマイクロフォン１０４の回転運動が段階的な動きであり、ブームマイクロフォン１０４が少なくとも２つの位置間、すなわち少なくとも限界位置間で移動可能であるように構成され得る場合、使用位置は、少なくとも第１の限界位置に配置され得、不使用位置は、第２の限界位置に配置され得る。例えば、ブームマイクロフォン１０４が移動可能であり得る３つのステップ位置を回転要素２０６が有する場合、第１の限界位置および両限界位置間の位置は、使用位置であり得、第２の限界位置は、不使用位置であり得る。別の例によれば、ブームマイクロフォン１０４が移動可能であり得る３つのステップ位置を回転要素２０６が有する場合、第１の限界位置は、使用位置であり得、第２の限界位置および両限界位置間の位置は、不使用位置であり得る。本発明は、上記の回転要素２０６のステップ位置の例の数に限定されず、任意の数のステップ位置を使用し得る。
【００３０】
図４Ａおよび図４Ｂは、ブームマイクロフォン１０４の使用位置およびブームマイクロフォンの不使用位置の非限定的な例を示す。図４Ａおよび図４Ｂにおいて、回転要素２０６の向きは、ヘッドセット１００が使用されているとき、すなわちユーザが着用しているとき、ユーザの顔が実質的に正のＸ方向を向き、かつユーザの頭頂部が実質的に正のＹ方向を向いているようなものである。ヘッドセット１００がヘルメットに配置されている場合、ヘルメットの上部は、実質的に正のＹ方向を向き、ヘルメットの使用者の顔のためのヘルメットの開口部は、実質的に正のＸ方向を向いている（図６Ａおよび図６Ｂ参照）。図４Ａでは、ブームマイクロフォンは、最初に使用位置、例えば、実質的にユーザの口の前にあり、ブームマイクロフォン１０４を使用することができる。ブームマイクロフォン１０４の使用位置では、ブームマイクロフォン１０４は、アクティブであり、スカルマイクロフォンは、非アクティブである。スカルマイクロフォンがブームマイクロフォンよりも適している使用例では、スカルマイクロフォンをアクティブにし、ブームマイクロフォン１０４を非アクティブにするために、ユーザは、ブームマイクロフォン１０４を使用位置、例えばユーザの口の前から、不使用位置、例えばユーザの首の後ろまで、回転させることができる。図４Ａにおいて、実線で示されるブームマイクロフォン１０４は、使用位置にあるブームマイクロフォン１０４を表し、破線で示されるブームマイクロフォン１０４は、不使用位置にあるブームマイクロフォン１０４を表す。図４Ａの矢印４０２は、ブームマイクロフォン１０４の使用位置から不使用位置への移動方向を示し、回転要素２０６によって提供されるブームマイクロフォン１０４の動きは、回転要素２０６の回転軸の周りの回転運動である。一例によれば、上記のように、使用位置を第１の限界位置とし、不使用位置を第２の限界位置とすることができ、すなわち、ブームマイクロフォンを第１の限界位置と第２の限界位置との間で動かすことができる。
【００３１】
図４Ｂに示される例では、ブームマイクロフォン１０４は、最初に不使用位置、例えば、ユーザの首の後ろにあり、スカルマイクロフォン１０２を使用することができる。ブームマイクロフォン１０４の不使用位置では、スカルマイクロフォン１０６は、アクティブであり、ブームマイクロフォン１０４は、非アクティブである。ブームマイクロフォン１０４がスカルマイクロフォン１０６よりも適している使用例では、ブームマイクロフォン１０４をアクティブにし、スカルマイクロフォン１０２を非アクティブにするために、ユーザは、ブームマイクロフォン１０４を不使用位置、例えばユーザの首の後ろから、使用位置、例えば実質的にユーザの口の正面まで回転させることができる。図４Ｂにおいて、実線で示されるブームマイクロフォン１０４は、不使用位置にあるブームマイクロフォン１０４を表し、破線で示されるブームマイクロフォン１０４は、使用位置にあるブームマイクロフォン１０４を表している。図４Ｂの矢印４０４は、ブームマイクロフォン１０４の不使用位置から使用位置への移動方向を示し、回転要素２０６によって提供されるブームマイクロフォン１０４の動きは、回転要素２０６の回転軸の周りを回転する動きである。
【００３２】
スイッチ５０２は、スピーカユニット１０２に配置され得る。スイッチ５０２は、ブームマイクロフォン１０４の位置に基づいてブームマイクロフォン１０４またはスカルマイクロフォン１０６を作動させるために、ブームマイクロフォン１０４およびスカルマイクロフォン１０６のアースまたは信号を接続および切断するために使用され得る。ヘッドセット１００は、ブームマイクロフォン１０４の位置に基づいてブームマイクロフォン１０４またはスカルマイクロフォン１０６を作動させるようにスイッチ５０２を使用できるようにするために、ブームマイクロフォン１０４の回転要素２０６に配置され得るアクチュエータ５０４をさらに備え得る。アクチュエータ５０４は、回転要素２０６に固定され得る別個の部品であり得る。あるいは、アクチュエータ５０４は、回転要素２０６の一体部品であり得る。
【００３３】
アクチュエータ５０４は、ブームマイクロフォンがその使用位置にあるときにスイッチ５０２がブームマイクロフォン１０４を作動させ、ブームマイクロフォン１０４がその不使用位置にあるときにスイッチ５０２がスカルマイクロフォン１０６を作動させるように、回転要素２０６に配置され得る。これは、アクチュエータ５０４が回転要素２０６の第１の部分２０６ａに、例えば（図５Ａ〜図５Ｄに示されるように）突出部分に配置されるように、すなわち、スイッチ５０２が配置され得るスピーカユニット１０２に対して移動可能であるように提供され得る。スイッチ５０２は、ブームマイクロフォン１０４が不使用位置にあるとき、回転要素２０６に配置されたアクチュエータ５０４がスイッチ５０２のすぐ近くにあるように、すなわち、スイッチ５０２が状態を変化し得ることを可能にするためにアクチュエータ５０４がスイッチ５０２の動作領域内にあるように、スピーカユニット１０２に配置され得る。
【００３４】
一例によれば、スイッチは、受動的機械的スイッチであるリードスイッチであり得、その状態（開または閉）は、磁界を適用することによって変化させ得る。例えば、リードスイッチは、通常は開いていて、磁界が存在するときにスイッチが閉じているか、またはその逆の場合がある。磁界は、磁石、すなわちアクチュエータをスイッチのごく近くに配置することによって適用することができて、リードスイッチの状態を、すなわち、開から閉へ、または閉から開へと変更することができる。磁石をリードスイッチから離すと、リードスイッチの状態が元に戻り、磁界が消える。スイッチ５０２としてのリードスイッチおよびアクチュエータ５０４としての磁石の使用は、単純な機械的スイッチングソリューションを可能にする。
【００３５】
あるいは、スイッチ５０２は、マイクロスイッチまたは光スイッチなどの、例えば、電気機械式スイッチ、光機械式スイッチ、または機械式スイッチであり得る。スイッチ５０２が電気機械式スイッチ、光機械式スイッチまたは機械式スイッチである場合、アクチュエータ５０４は、機械的アクチュエータであり得る。電気機械式スイッチおよびマイクロスイッチの場合、スイッチの状態は、スイッチを押すための機械的アクチュエータ、例えば機械部品、を配置することによって変更することができる。光電気式スイッチおよび光スイッチの場合、スイッチの状態は、光線を切り替える機械的アクチュエータ、例えば機械部品、を配置することによって変更することができる。
【００３６】
スイッチ５０２の動作の例は、図５Ａ〜図５Ｄに示され、スイッチ５０２の２つの非限定的な例示的な位置が表されている。図５Ａ〜図５Ｄでは、回転要素２０６の向きは、ヘッドセット１００が使用されているとき、すなわちユーザが着用しているとき、ユーザの顔が実質的に正のＸ方向を向き、ユーザの頭頂部が実質的に正のＹ方向を向いているようなものである。ヘッドセット１００がヘルメットに配置されている場合、ヘルメットの上部は実質的に正のＹ方向を向き、ヘルメットの使用者の顔のためのヘルメットの開口部は実質的に正のＸ方向を向いている（図６Ａおよび図６Ｂ参照）。
【００３７】
図５Ａおよび図５Ｂは例を示しており、スイッチ５０２は、Ｘ方向で回転要素２０６の実質的に後ろに配置され、不使用位置において、ブームマイクロフォン１０４は、ユーザの首の実質的に後ろに、またはヘッドセット１００がヘルメットに配置されている場合、ヘルメットの後部に向かって配置される。図５Ａでは、ブームマイクロフォン１０４は使用位置にあり、スイッチ５０２とアクチュエータ５０４は互いに遠く離れており、これは、アクチュエータ５０４がスイッチ５０２の動作領域の外側にあることを意味する。例えば、リードスイッチ５０２の場合、それは、リードスイッチが磁石の影響を受けないので、リードスイッチの周囲に磁界が存在せず、リードスイッチがその第１の状態、すなわち通常の状態にあることを意味する。この場合、スイッチ５０２は、それぞれ、ブームマイクロフォン１０４のアースまたは信号を接続し、スカルマイクロフォン１０６のアースまたは信号を切断する。図５Ｂでは、ブームマイクロフォン１０４は不使用位置にあり、アクチュエータ５０４はスイッチ５０２のすぐ近くにあり、これは、アクチュエータ５０４がスイッチ５０２の動作領域内にあることを意味する。例えば、リードスイッチの場合、リードスイッチは磁石の影響を受けるため、リードスイッチの周囲に磁界が存在し、リードスイッチは第２の状態になる。この場合、スイッチ５０２は、それぞれ、ブームマイクロフォン１０４のアースまたは信号を切断し、スカルマイクロフォン１０６のアースまたは信号を接続する。マイクロフォンのアースが接続されている場合、そのマイクロフォンはアクティブであり、マイクロフォンのアースが切断されている場合、そのマイクロフォンは非アクティブである。
【００３８】
図５Ｃおよび図５Ｄは、スイッチ５０２が回転要素２０６の実質的に上部に（Ｙ方向に）配置され、ブームマイクロフォン１０４の不使用位置が実質的にユーザの頭頂部に向かって、またはヘッドセット１００がヘルメットに配置されている場合には、ヘルメットの上部に向かって配置される別の例を示す。図５Ｃでは、ブームマイクロフォン１０４は使用位置にあり、スイッチ５０２とアクチュエータ５０４は互いに遠く離れており、これは、アクチュエータ５０４がスイッチ５０２の動作領域の外側にあることを意味する。この場合、スイッチ５０２は、それぞれ、ブームマイクロフォン１０４のアースまたは信号を接続し、スカルマイクロフォン１０６のアースまたは信号を切断する。図５Ｄでは、ブームマイクロフォン１０４は不使用位置にあり、アクチュエータ５０４はスイッチ５０２のすぐ近くにあり、これは、アクチュエータ５０４がスイッチ５０２の動作領域内にあることを意味する。この場合、スイッチ５０２は、それぞれ、ブームマイクロフォン１０４のアースまたは信号を切断し、スカルマイクロフォン１０６のアースまたは信号を接続する。
【００３９】
図５Ａ〜図５Ｄに示される例から、スイッチ５０２の位置がブームマイクロフォン１０４の不使用位置を定義することが分かるであろう。スイッチ５０２およびアクチュエータ５０４は、ブームマイクロフォン１０４の所望の不使用位置でブームマイクロフォン１０４とスカルマイクロフォン１０６との間の切り替え、すなわち作動または選択を提供できるように、ヘッドセット１００に配置されるべきである。換言すれば、ブームマイクロフォン１０４の不使用位置は、回転要素２０６を備え得るブームマイクロフォン１０４のほぼ任意の位置であり得、不使用位置は、例えばリードスイッチの場合、磁石が前記位置でスイッチ５０２に磁界を生じさせるように、磁石およびリードスイッチをヘッドセット１００の異なる構成要素に配置することによって、アクチュエータ５０４がスイッチを前記位置でその状態を変化させるように、アクチュエータ５０４およびスイッチ５０２をヘッドセット１００の異なる構成要素に配置することによって定義され得る。回転要素２０６がブームマイクロフォン１０４を段階的に回転させる場合、スイッチ５０２は、回転要素２０６の段階的位置のうちの１つに対応する場所に配置され得る。例えば、回転要素２０６が、ブームマイクロフォン１０４が移動可能であり得る３つの段階的位置を有する場合、第１の限界位置および両限界位置の間の位置は、使用位置であり得、第２の限界位置は、不使用位置であり得、したがって、スイッチ５０２は、第２の限界位置に対応する場所に配置され得る。ブームマイクロフォン１０４の通常の使用位置の周囲空間が自由である必要があるか、または呼吸マスクなどの他のエンティティのために占有される場合、好ましくは、ブームマイクロフォン１０４の不使用位置は、ブーム２０２の遠端に配置されたブーム２０２および／またはマイクロフォン２０４がユーザを妨害しないようなものである。明確にするために、ブーム２０４の遠端に配置されるマイクロフォン２０４は、図５Ａ〜図５Ｄには示されていない。
【００４０】
一例によれば、ヘッドセット１００は、ブームマイクロフォン１０４の少なくとも２つのオプションの不使用位置を提供するために、少なくとも２つのスイッチを備え得る。例えば、ヘッドセット１００は、ブームマイクロフォン１０４の第１の不使用位置を定義するために、第１の場所、例えば、図５Ａおよび図５Ｂに示される例示的な場所に配置された１つのスイッチと、ブームマイクロフォン１０４の第２の不使用位置を定義するために、第２の場所、例えば、図５Ｃおよび図５Ｄに示される例示的な場所に配置された別のスイッチと、を備え得る。これにより、ブームマイクロフォン１０４を第１の不使用位置または第２の不使用位置のいずれかに移動、すなわち回転させて、１つの不使用位置で上記と同様に、スカルマイクロフォン１０６をアクティブにし、ブームマイクロフォン１０４を非アクティブにすることができる。代替的または追加的に、第２のスイッチ、すなわち、第２の不使用位置は、使用位置と第１の不使用位置との間の場所に配置され得る。
【００４１】
上記のヘッドセット１００は、ヘルメット、例えば、消防士用ヘルメット、軍用ヘルメット、警察用ヘルメットなどに取り付けられるか、または配置され得る。例えば、ヘッドセット１００が消防士のヘルメットに配置されている場合、ヘッドセット１００は、消防士がブームマイクロフォン１０４を使用位置から不使用位置へ、または不使用位置から使用位置へ動かすだけ、すなわち回転要素２０６の回転軸の周りに回転するだけで、ブームマイクロフォン１０４とスカルマイクロフォンとを容易に切り替えることができる。これにより、消防士が呼吸マスクを着用しているときに、ブームマイクロフォン１０４を使用位置から不使用位置に移動することによって、スカルマイクロフォン１０６をアクティブにすることができ、またはブームマイクロフォン１０４を不使用位置から使用位置に移動するにすることによって、ブームマイクロフォン１０４をアクティブにすることができる。
【００４２】
図６Ａおよび図６Ｂは、ヘッドセット１００がヘルメット６００に配置されている例を示す。スピーカユニット１０２、スカルマイクロフォン１０２、およびブームマイクロフォン１０４の回転要素２０６は、ヘルメット６００の内部に配置される。図６Ａでは、使用位置に配置されたブームマイクロフォン１０４により、ブームマイクロフォン１０４がアクティブである。図６Ａのブームマイクロフォン１０４の使用位置は、ブーム２０２の遠端に配置されたマイクロフォン２０４が実質的にユーザの口の前、すなわちユーザの口に面するような位置である。図６Ｂでは、ブームマイクロフォン１０４が不使用位置に配置されているため、スカルマイクロフォン１０６がアクティブである。図６Ｂのブームマイクロフォン１０４の不使用位置は、ブーム２０２の遠端に配置されたマイクロフォン２０４が実質的にユーザの首の後ろにあるような位置である。
【００４３】
簡単にするために、ブーム２０２は、図２〜図６において直管として示されているが、ユーザに関して、および／またはスピーカユニット１０２またはヘルメット６００に関して、ブーム２０２を所望の位置に配置するために、ブーム２０２は、ブーム２０２の遠端に配置されたマイクロフォン２０４の調整を可能にするためにユーザによって曲げられ得る変形可能な管として提供され得る。あるいは、ユーザに関して、および／またはスピーカユニット１０２またはヘルメット６００に関して、ブーム２０２の遠端に配置されたマイクロフォン２０４を所望の位置に調整することを可能にするために、ブーム２０２は、ユーザによって曲げることができる少なくとも１つの変形可能な管部分と、少なくとも１つの剛性管部分または実質的に剛性の管部分とを含み得る。ブームマイクロフォン１０４の位置の上記の調整、すなわち、ブーム２０２の変形可能な管によって少なくとも部分的に可能になるブームマイクロフォン１０４のブーム２０２の曲げは、スイッチ５０２がブームマイクロフォン１０４またはスカルマイクロフォン１０６をアクティブにし得るブームマイクロフォン１０４の動きとは見なされない。ブームマイクロフォン１０４の位置の前記調整、すなわち、ブームマイクロフォン１０４のブーム２０２の曲げは、ブームマイクロフォン１０４がその使用位置にあるときに提供され得る。ブーム２０２は、ブーム２０２の遠端に配置されたマイクロフォン２０４を所望の位置にもたらすために、適切な、典型的には湾曲した形状に曲げることができる。代替的または追加的に、ブームマイクロフォン１０４がその不使用位置にあるときに、ブームマイクロフォン１０４の位置の調整、すなわち、ブームマイクロフォン１０４のブーム２０２の曲げが提供され得る。代替的または追加的に、ブームマイクロフォン１０４の位置の調整、すなわち、ブームマイクロフォン１０４のブーム２０２の曲げは、回転要素２０６によって提供されるブームマイクロフォン１０４の回転運動中に提供され得る。これにより、ブームマイクロフォン１０４を使用位置、例えばユーザの口の前から、不使用位置、例えばユーザの首の後ろまで回転させることができる。
【００４４】
上記のヘッドセット１００は、ヘッドセット１００のユーザが、使用例に応じてブームマイクロフォン１０４とスカルマイクロフォン１０６の使用を簡単かつ容易に選択／切り替えることができ、これにより、さまざまな使用例においてマイクロフォンの音質が向上する。例えば、スカルマイクロフォン１０６は、例えば、呼吸マスクが使用されるときに最高の音質を提供し得、ブームマイクロフォン１０４は、他の多くの使用例において最高の音質を提供し得る。さらに、ブームマイクロフォンとスカルマイクロフォンとの間の選択／切り替えは、マイクロフォンを取り付けたり取り外したりする必要なしに提供され得る。本発明によるヘッドセット１００は、任意の種類のヘルメット、例えば、消防士用ヘルメット、軍用ヘルメット、警察用ヘルメットなどに実装または配置することができる。。
【００４５】
上記の説明で提供された特定の例は、添付の特許請求の範囲の適用性および／または解釈を制限するものとして解釈されるべきではない。上記の説明で提供されている例のリストおよびグループは、特に明記されていない限り、網羅的ではない。
【図１】
2021529449.tif 000003
【図２】
2021529449.tif 000004
【図３Ａ】
2021529449.tif 000005
【図３Ｂ】
2021529449.tif 000006
【図４Ａ】
2021529449.tif 000007
【図４Ｂ】
2021529449.tif 000008
【図５Ａ】
2021529449.tif 000009
【図５Ｂ】
2021529449.tif 000010
【図５Ｃ】
2021529449.tif 000011
【図５Ｄ】
2021529449.tif 000012
【図６Ａ】
2021529449.tif 000013
【図６Ｂ】
2021529449.tif 000014
【国際調査報告】
2021529449.tif 000015
2021529449.tif 000016
2021529449.tif 000017